(57)【特許請求の範囲】
【請求項１】
医用画像を保管する画像保管手段と、
検索情報を有する読影レポートを保管するレポート保管手段と、
操作者からの入力を受け付けるための入力手段と、
前記入力手段が受け付けた検索情報と合致する検索情報を有する読影レポートを前記レポート保管手段から検索するレポート検索手段と、
前記入力手段が受け付けた検索情報と合致する検索情報を有する医用画像及び検索された前記読影レポート内の医用画像を前記画像保管手段から取得する画像取得手段と、
同一日付の検査で作成されたことを示す付帯情報を有する医用画像のグループを識別するタブを表示し、検査別に医用画像を表示するとともに、前記読影レポート内の医用画像を前記読影レポート内の医用画像であることを明示して表示する表示手段と、
を備えることを特徴とする画像表示システム。
【請求項２】
前記表示手段は、前記タブ毎に表示する医用画像を、レポート内画像、その他の医用画像の順に順列表示することを特徴とする請求項１記載の画像表示システム。
【請求項３】
前記表示手段は、表示されている医用画像が選択されたとき、その選択された医用画像の前記タブのグループとは異なり、かつ選択された医用画像の付帯情報の一つと同じ付帯情報を有する医用画像を、選択された医用画像が表示されている同一画面上に表示することを特徴とする請求項１記載の画像表示システム。
【請求項４】
前記表示手段は、前記タブ毎に表示する医用画像をタイル表示することを特徴とする請求項１記載の画像表示システム。
【請求項５】
前記表示手段は、前記タブ毎に表示する医用画像をスタック表示することを特徴とする請求項１記載の画像表示システム。
【請求項６】
表示されている画像に基づく読影レポートの作成を支援するレポート作成手段を更に備えることを特徴とする請求項５記載の画像表示システム。
【請求項７】
医用画像を保管する画像保管手段および検索情報を有する読影レポートを保管するレポート保管手段にネットワークを介して接続される画像表示装置において、
操作者からの入力を受け付けるための入力手段と、
前記入力手段が受け付けた検索情報と合致する検索情報を有する読影レポートを前記レポート保管手段から検索するレポート検索手段と、
前記入力手段が受け付けた検索情報と合致する検索情報を有する医用画像及び検索された前記読影レポート内の医用画像を前記画像保管手段から取得する画像取得手段と、
同一日付の検査で作成されたことを示す付帯情報を有する医用画像のグループを識別するタブを表示し、検査別に医用画像を表示するとともに、前記読影レポート内の医用画像を前記読影レポート内の医用画像であることを明示して表示する表示手段と、
を備えることを特徴とする画像表示装置。
【発明の詳細な説明】
【技術分野】
【０００１】
本発明は、医用画像を収集して表示する技術に関する。
【背景技術】
【０００２】
近年、病院内におけるデジタル化及びネットワーク化の進展に伴い、画像検査において撮影された医用画像をフィルムレスで運用する場合が多くなってきた。撮影された医用画像をその属性によってデータベース化して管理し、必要に応じてネットワークや可搬記憶媒体を介して画像表示装置に提供する。
【０００３】
例えば、医用画像は、Ｘ線ＣＴ（Computed Tomography）装置やＭＲＩ（Magnetic Resonance Imaging）装置で撮影され、患者情報や検査情報といった属性を示す付帯情報が付帯する。病院内では、この付帯情報を情報項目としてデータベース化して管理する。画像表示装置は、患者情報や検査情報を検索キーとしてデータベースを検索し、該当する医用画像を取得してモニタに表示する。
【０００４】
このネットワークは、一利用形態として、医用画像を読影して読影レポートを作成する際に利用される。読影レポートは、医用画像の読影に基づきその所見が記載されたドキュメントである。読影医は、医用画像を画像表示装置で表示し、レポート作成装置で読影レポートを作成する。
【０００５】
読影作業においては、読影対象の医用画像に関連する他の医用画像、特に同一患者の過去画像を参照する場合が多い。また、同一部位の症例を示す過去画像を参照する場合もある。過去画像と読影対象の医用画像とを比較し、所見を記載する。従って読影医は、まず、ネットワーク内に存在する膨大なデータの中から所定の過去画像を探索し、その中から重要度に応じて選り分けし、比較対象の過去画像を決定する。
【０００６】
特に過去画像として重要なのは過去レポートで参照された医用画像であり、比較対象画像として選別される場合が多い。しかし、従来のネットワークでは、医用画像を所定の属性をもって収集することはできても、収集された医用画像が過去レポートで参照された画像なのか、その他の画像なのかを区別することはできなかった。そのため、読影医は、まず過去レポートを探索して閲覧し、過去レポートで参照されている医用画像をネットワーク内から探索する以外に方法はなかった。
【０００７】
すなわち、従来は、膨大なデータから重要画像を選り分けて閲覧することが事実上不可能であった。
【０００８】
また、画像表示装置では、例えば医用画像のリストから表示したい医用画像を選択する方式や、サムネイル画像から表示したい医用画像を選択して表示する方式であったりする。そのリストやサムネイルの並びには、医用画像の重要度が考慮されておらず、医用画像の収集以後、医用画像の閲覧の際にも医用画像の選り分けが必要になってくる。
【０００９】
このように、従来は、膨大なデータから重要な医用画像を選り分ける作業を、読影の際の過去画像収集段階や医用画像閲覧段階等の各段階において行わねばならない。そのため、重要な医用画像を見落としたり、混乱を生じたりするおそれがあった。
【発明の概要】
【発明が解決しようとする課題】
【００１０】
本発明は、以上の問題点に鑑みてなされたものであって、その目的は、膨大な医用画像群の中から、重要な医用画像、特に過去レポートで参照された医用画像を選別取得し表示する技術を提供することにある。
【課題を解決するための手段】
【００１１】
上記課題を解決するための実施形態は、医用画像を保管する画像保管手段と、検索情報を有する読影レポートを保管するレポート保管手段と、操作者からの入力を受け付けるための入力手段と、前記入力手段が受け付けた検索情報と合致する検索情報を有する読影レポートを前記レポート保管手段から検索するレポート検索手段と、前記入力手段が受け付けた検索情報と合致する検索情報を有する医用画像及び検索された前記読影レポート内の医用画像を前記画像保管手段から取得する画像取得手段と、同一日付の検査で作成されたことを示す付帯情報を有する医用画像のグループを識別するタブを表示し、検査別に医用画像を表示するとともに、前記読影レポート内の医用画像を前記読影レポート内の医用画像であることを明示して表示する表示手段と、を備えることを特徴とする。
【図面の簡単な説明】
【００１２】
【図１】本実施形態に係る画像表示システムの構成を示すブロック図である。
【図２】本実施形態に係る画像表示システムが保管する読影レポートのデータ構造を示す図である。
【図３】本実施形態に係る画像表示システムの動作概要を示すシーケンス図である。
【図４】本実施形態に係る画像表示システムの内部構成を示すブロック図である。
【図５】画像表示装置の医用画像の取得及び表示動作を示すフローチャートである。
【図６】レポート保管装置の読影レポート検索及び医用画像要求動作を示すフローチャートである。
【図７】画像保管装置の画像検索動作を示すフローチャートである。
【図８】画像表示装置の読影レポートの取得及び表示動作を示すフローチャートである。
【図９】レポート保管装置の読影レポート送信動作を示すフローチャートである。
【図１０】検索情報の入力画面を示す図である。
【図１１】医用画像が表示された画面を示す図である。
【図１２】読影レポートを表示する画面を示す図である。
【図１３】レポート作成画面を示す図である。
【発明を実施するための形態】
【００１３】
以下、本発明に係る画像表示システムの好適な実施形態について、図面を参照しながら詳細に説明する。
【００１４】
図１に画像表示システムの全体構成を示す。図１は、本実施形態に係る画像表示システムの構成を示すブロック図である。画像表示システム１は、所定属性の医用画像を収集して表示する装置である。特にこの画像表示システム１では、医用画像を収集するにあたり、読影レポートをまず検索し、検索されたレポートで医用画像が参照されていれば、その医用画像を収集する。このルートで取得された医用画像は、レポート内画像であることが特定されて収集できるため、レポート内に存在する画像であることを明示して表示する。さらにオペレータの要求に対応して、表示されたレポート内の医用画像に基づき読影レポートを取得し、スナップショット等の画像表示をする。
【００１５】
この画像表示システム１は、医用画像を表示する画像表示装置１０、医用画像を保管する画像保管装置２０、及び読影レポートを保管するレポート保管装置３０を備え、それぞれをネットワークＮで接続してデータ通信可能に構成している。
【００１６】
画像表示装置１０、画像保管装置２０、及びレポート保管装置３０は、コンピュータで構成される。それぞれ内部に演算制御部（ＣＰＵ：Central Processing Unit）、主記憶部（ＲＡＭ：Random Access Memory）、外部記憶部（ＨＤＤ：Hard Disk Drive）、通信コントローラを備え、共通線で接続して相互にデータ入出力可能としている。
【００１７】
演算制御部は、プログラムを解読及び実行して、データの演算及び装置の制御をする。主記憶部は、演算制御部のワークエリアであり、プログラムが展開され、演算結果や読み出されたデータの一時記憶をする。外部記憶部は、ＯＳ（オペレーティングシステム）及び画像表示のための各自のプログラムが記憶されている。通信コントローラは、ネットワークＮと直接接続し、例えばＷＷＷ（ワールド・ワイド・ウェブ）やＴＣＰ／ＩＰプロトコル等のデータ通信制御によりネットワークＮを介して行なうデータ通信を制御する。ネットワークＮは、電子データの伝送が可能な電子通信回線であり、例えば電話回線網、ＩＳＤＮ、ＦＤＤＩ、専用線、移動体通信網、通信衛星回線、ＣＡＴＶ、ＬＡＮ等、又はこれらの複合が採用される。
【００１８】
また、画像表示装置１０は、画像を表示するモニタ１１とオペレータのコマンド入力を受け付けるための入力装置１２を備える。モニタ１１は、ＬＣＤディスプレイあるいはＣＲＴディスプレイで構成され、演算制御部から出力された描画データに応じて医用画像、読影レポート、及びこれらを表示するためのＧＵＩ（Graphical User Interface）を表示する。入力装置１２は、キーボードやホイールトラッキング機能を有するマウス等であり、オペレータの操作に応じた信号を演算制御部へ出力する。
【００１９】
画像保管装置２０は、外部記憶部を含み構成される医用画像データベース２１を備える。医用画像データベース２１は、医用画像を保管し、医用画像の属性を情報項目として医用画像をデータベース化している。
【００２０】
医用画像には、ＤＩＣＯＭ（Digital Imaging and COmmunications in Medicine）規格に準拠して付帯情報が付帯している。付帯情報は、医用画像の属性を示す。この付帯情報としては、例えば、医用画像が作成された日付を示す日付情報、医用画像の情報主体である患者の患者名を示す患者名情報、患者のＩＤを示す患者ＩＤ情報、医用画像を作成した検査を示す検査情報、医用画像を所定種類で分類したシリーズ情報、医用画像のＩＤを示す画像ＩＤ情報がある。これら情報が付帯情報として医用画像に付帯する。
【００２１】
医用画像データベース２１は、この付帯情報を情報項目として医用画像をデータベース化している。
【００２２】
レポート保管装置３０は、外部記憶部を含み構成されるレポート記憶部３１を備える。レポート記憶部３１は、読影レポートを記憶している。
【００２３】
読影レポートは、読影医等が作成したレポートであり、検査によって得られた医用画像を読影してその内容が記される。図２に読影レポートのデータ構造を示す。図２に示すように、読影レポートは、レポート３１１に検索情報３１３が付帯して構成されている。
【００２４】
レポート３１１は、ドキュメント形式のデータであり、所見等のレポートの内容を示す文字列が含まれる。レポート３１１には、参照した医用画像の所在を示す画像リンク情報３１２が埋め込まれる。画像リンク情報３１２は、レポート３１１内の文字列とネットワークＮ上のパスとをリンク付けする。このパスは、読影レポート内の医用画像が保管されている所在を示す。
【００２５】
検索情報３１３は、読影レポートの属性を示す情報であり、医用画像に付帯する付帯情報と同様に、読影された医用画像が作成された日付を示す日付情報、読影レポートの情報主体である患者の患者名を示す患者名情報、患者のＩＤを示す患者ＩＤ情報、読影レポートを作成した検査を示す検査情報、レポート内の医用画像のＩＤを示す画像ＩＤ情報がある。この検索情報３１３は、医用画像の検索の際に、レポート内の画像を選り分けて取得する際に利用される。
【００２６】
図３に画像表示システム１の動作概要を示す。図３は、画像表示システム１の動作概要を示すシーケンス図である。
【００２７】
図３に示すように、画像表示装置１０にて、まずオペレータが入力装置１２を操作して所定の医用画像を検索するための検索キーを入力する（Ｓ１０１）。この検索キーは、画像保管装置２０及びレポート保管装置３０にネットワークＮを介して送信される（Ｓ１０２）。
【００２８】
画像保管装置２０では、送信された検索キーに合致する付帯情報を有する医用画像を検索し（Ｓ１０３）、画像表示装置１０に送信する（Ｓ１０７）。レポート保管装置３０では、検索キーに合致した検索情報を有する読影レポートを検索する（Ｓ１０４）。さらに検索されたレポート内を検索してその中に画像リンク情報３１２が含まれる場合（Ｓ１０５）には、その画像リンク情報に対応する医用画像を画像保管装置２０に要求する（Ｓ１０６）。
【００２９】
画像保管装置２０は、その画像リンク情報に対応する医用画像を医用画像データベース２１から取得し（Ｓ１０７）、画像表示装置１０にネットワークＮを介して送信する（Ｓ１０７）。同時に、画像保管装置２０は、その医用画像のファイル名や所在等の識別情報をレポート保管装置３０に送信する（Ｓ１０９）。
【００３０】
レポート保管装置３０では、検索された読影レポートのファイル名や所在等の識別情報と画像保管装置２０から受信した医用画像の識別情報とを対にしたレポート特定情報を生成して（Ｓ１１０）、画像表示装置１０へ送信する（Ｓ１１１）。
【００３１】
画像表示装置１０では、画像保管装置２０から送信された医用画像を受信してモニタ１１に表示する（Ｓ１１２）。表示の際、レポート内の医用画像は、それがレポート内の医用画像であることを明示して表示する。
【００３２】
オペレータが入力装置１２を用いてレポート内の医用画像を選択し、読影レポートを要求する入力を行うと（Ｓ１１３）、画像表示装置１０は、レポート特定情報を参照して（Ｓ１１４）、読影レポートの要求をレポート保管装置３０へ送信する（Ｓ１１５）。レポート保管装置３０は、要求された読影レポートをレポート記憶部３１から取得して（Ｓ１１６）、画像表示装置１０へ送信する（Ｓ１１７）。
【００３３】
画像表示装置１０では、レポート保管装置３０から受信した読影レポートをモニタ１１に表示する（Ｓ１１８）。
【００３４】
図４に、この画像表示システム１の詳細な構成を示す。図４は、画像表示システム１の内部構成を示すブロック図である。画像表示装置１０、画像保管装置２０、レポート保管装置３０がコンピュータで構成される場合には、プログラムの実行により実現される内部構成である。
【００３５】
画像表示装置１０は、データ取得部１３と表示制御部１４とレポート作成部１６を備える。表示制御部１４は、スナップショット生成部１５を備える。
【００３６】
データ取得部１３は、演算制御部及び通信コントローラを含み構成され、入力装置１２を用いて入力された検索キーを画像保管装置２０及びレポート保管装置３０に送信する。また、画像保管装置２０から送信された医用画像を取得し、レポート保管装置３０から送信されたレポート特定情報を取得し、レポート特定情報に対応する読影レポートをレポート保管装置３０から取得する。
【００３７】
検索キーは、検索対象の医用画像を特定する属性情報である。例えば、医用画像の付帯情報の内容を示す文字列である。レポート特定情報は、レポート内の医用画像とその読影レポートとを関連づける情報である。例えば、レポート内の医用画像のファイル名と読影レポートのレポート保管装置３０における所在位置とを対にした情報である。
【００３８】
このレポート特定情報は、モニタ１１に表示されているレポート内の医用画像に対応して読影レポートを表示する際に、読影レポートを取得するために利用される。レポート特定情報に存在する医用画像の識別情報から、画像保管装置２０から取得したレポート内の医用画像を特定する。特定したレポート内の医用画像をモニタ１１に表示する際、画面上に表示されている医用画像がレポート内の医用画像であることを示す明示を表示する。
【００３９】
また、レポート内の医用画像を表示している際、又はレポート内の医用画像と同一の付帯情報を有する医用画像のグループの表示している際、入力装置１２から読影レポート要求コマンドが送出されると、レポート特定情報を読み出して、読影レポートの識別情報に対応する読影レポートの要求をレポート保管装置３０へ送信し、レポート保管装置３０から取得する。
【００４０】
表示制御部１４は、演算制御部を含み構成され、データ取得部１３が取得した医用画像をＧＵＩ画面とともにモニタ１１に表示させる。モニタ１１には、ＧＵＩ画面に医用画像を重ねた画面が表示される。ＧＵＩ画面をオペレータとの対話のベースとして、入力装置１２から入力された信号をＧＵＩ画面上のアイコンや画像等のオブジェクト選択として受け取り、入力装置１２の操作を反映する画面表示をモニタ１１にさせる。
【００４１】
この表示制御部１４は、医用画像に付帯する付帯情報を参照して医用画像をグループ化して表示させる。また、グループ中においても医用画像の付帯情報やレポート特定情報を参照して、その並び順を決定して表示させる。
【００４２】
スナップショット生成部１５は、ドキュメントデータ形式の読影レポートから画像データを生成する。スナップショット生成部１５で生成された読影レポートの画像データは、ビデオ信号に変換されてモニタ１１に表示される。
【００４３】
レポート作成部１６は、読影レポートの作成を支援する。入力装置１２を用いた所見の入力に対応して、文字列を配列してレポート３１１のデータを生成し、画像リンク情報３１２を生成し、またレポート３１１に検索情報を付す。
【００４４】
レポート保管装置３０は、レポート記憶部３１とレポート検索部３２とレポート内画像検索部３３とレポート特定情報生成部３４を備える。
【００４５】
レポート検索部３２は、レポート記憶部３１から読影レポートを検索する。画像表示装置１０から送信された検索キーを取得し、この検索キーと合致する検索情報３１３を有する読影レポートを検索する。また、画像表示装置１０から要求された読影レポートを検索し、画像表示装置１０に送信する。
【００４６】
レポート内画像検索部３３は、レポート３１１内に埋め込まれた画像リンク情報３１２を検索する。画像リンク情報３１２を検索すると、そのパスに存在する医用画像を画像表示装置１０へ送信するよう画像保管装置２０に要求する。また、その医用画像の識別情報を画像保管装置２０から取得する。
【００４７】
レポート特定情報生成部３４は、画像保管装置２０から取得したレポート内の医用画像のファイル名等の識別情報と読影レポートの所在位置等の識別情報とを関連づけたレポート特定情報を生成し、画像表示装置１０に送信する。
【００４８】
画像保管装置２０は、医用画像データベース２１と画像検索部２２とを備える。
【００４９】
医用画像データベース２１は、医用画像を保管し、また医用画像に付帯する各種付帯情報を情報項目としたデータベースを有する。
【００５０】
画像検索部２２は、検索キーに合致する値を有するレコードをデータベースから検索し、検索されたレコードに対応する医用画像を医用画像データベース２１から取得して、画像表示装置１０に送信する。また、医用画像の所在位置を示すパスをもとに直接医用画像を取得し、画像表示装置１０に送信する。
【００５１】
図５に、この画像表示装置１０の医用画像の取得及び表示動作を示す。図５は、画像表示装置１０の医用画像の取得及び表示動作を示すフローチャートである。
【００５２】
図５に示すように、画像表示装置１０では、入力装置１２を用いて検索キーが入力されると（Ｓ１１）、その検索キーをネットワークＮを介して画像保管装置２０及びレポート保管装置３０へ送信する（Ｓ１２）。
【００５３】
レポート保管装置３０では、検索キーから読影レポートを検索してその読影レポート内の医用画像の要求を画像保管装置２０にし、画像保管装置２０では、検索情報から医用画像を検索して取得し、又レポート保管装置３０から送信された要求に対応して医用画像を取得し、画像表示装置１０へ取得した医用画像を送信する。
【００５４】
画像表示装置１０は、画像保管装置２０から医用画像を受信すると（Ｓ１３，Ｙｅｓ）、取得した医用画像をＧＵＩ画面上に重ねてモニタ１１上に表示する（Ｓ１４）。
【００５５】
図６に、画像表示装置１０から送信された検索キーを受信した際のレポート保管装置３０の動作を示す。図６は、レポート保管装置３０の読影レポート検索及び医用画像要求動作を示すフローチャートである。
【００５６】
図６に示すように、レポート保管装置３０では、検索キーを受信すると（Ｓ２１，Ｙｅｓ）、この検索キーと合致する検索情報３１３を有する読影レポートを検索する（Ｓ２２）。該当するレポートが存在すると（Ｓ２３，Ｙｅｓ）、その読影レポートのデータを走査して、読影レポートに含まれる画像リンク情報３１２を検索する（Ｓ２４）。画像リンク情報３１２が存在すると（Ｓ２５，Ｙｅｓ）、その画像リンク情報３１２で示される所在に記憶されている医用画像の医用画像表示装置１０への送信とその医用画像を示すファイル名等の識別情報を画像保管装置２０へ要求する（Ｓ２６）。
【００５７】
読影レポートに含まれている画像リンク情報３１２が示す所在位置に記憶されている医用画像の情報が画像保管装置２０から送信されると（Ｓ２７）、レポート保管装置３０は、検索された読影レポートの識別情報と医用画像の識別情報を対にしたレポート特定情報を生成する（Ｓ２８）。生成したレポート特定情報は、画像表示装置１０へ送信する（Ｓ２９）。
【００５８】
図７に、画像表示装置１０から送信された検索キーを受信した際の画像保管装置２０の動作を示す。図７は、画像保管装置２０の画像検索動作を示すフローチャートである。
【００５９】
図７に示すように、画像表示装置１０から送信された検索キーを受信すると（Ｓ３１，Ｙｅｓ）、画像表示装置１０は、その検索キーに合致する付帯情報を有する医用画像を医用画像データベース２１より検索する（Ｓ３２）。医用画像が検索されると（Ｓ３３，Ｙｅｓ）、検索された医用画像を医用画像データベース２１から取得して画像表示装置１０へ送信する（Ｓ３４）。
【００６０】
レポート保管装置３０から画像リンク情報３１２で示された所在に記憶されている医用画像の要求を受信すると（Ｓ３５，Ｙｅｓ）、その所在に記憶されている医用画像を画像表示装置１０へ送信する（Ｓ３６）。さらに、その所在に記憶されている医用画像の情報をレポート保管装置３０へ送信する（Ｓ３７）。
【００６１】
図８に、オペレータによりレポート内の医用画像に基づき読影レポートの要求入力がなされた場合の画像表示装置１０の動作を示す。図８は、画像表示装置１０の読影レポートの取得及び表示動作を示すフローチャートである。
【００６２】
オペレータにより入力装置１２が操作されて読影レポートを表示する入力がなされると（Ｓ４１）、画像表示装置１０は、レポート特定情報を読み出し（Ｓ４２）、レポート特定情報が示す読影レポートの送信要求をレポート保管装置３０へ送信する（Ｓ４３）。
【００６３】
レポート保管装置３０から読影レポートを受信すると（Ｓ４４，Ｙｅｓ）、読影レポートをドキュメント形式のデータから画像形式のデータへ変換し（Ｓ４５）、他の医用画像と同一の扱いでモニタ１１に表示する（Ｓ４６）。
【００６４】
図９に、読影レポートが要求された際のレポート保管装置３０の動作を示す。図９は、レポート保管装置３０の読影レポート送信動作を示すフローチャートである。
【００６５】
図９に示すように、画像表示装置１０から読影レポートの送信要求を受信すると（Ｓ５１）、レポート保管装置３０は、要求された読影レポートをレポート記憶部３１から取得し（Ｓ５２）、画像表示装置１０へ送信する（Ｓ５３）。
【００６６】
このような画像表示システム１における画像表示装置１０のモニタ１１の表示を図１０乃至図１３に示す。この表示は主に表示制御部１４でグループ化やレンダリングされることによりなされる。この表示形態は、比較対象として重要な医用画像を簡便に選別可能とする医用画像表示態様である。
【００６７】
図１０は、検索情報の入力画面を示す図である。図１０に示すように、モニタ１１上には、医用画像の取得前に画面上に検索情報の入力フィールド１１０を表示する。この入力フィールド１１０に入力された文字列がデータ取得部１３に渡されて検索キーとして画像保管装置２０及びレポート保管装置３０へ送信される。
【００６８】
図１１は、医用画像が表示された画面を示す図である。図１１に示すように、ＧＵＩ画面には、複数のタブ１１１が表示されている。表示制御部１４は、医用画像の付帯情報を参照して医用画像をグループ化する。例えば、日付及び検査の付帯情報を参照して、医用画像を検査毎にグループ化する。各タブ１１１には、医用画像の一のグループが関連づける。例えば、２００５年９月５日にされたＸ線ＣＴ装置による検査によって作成された医用画像を全て一グループとして一のタブ１１１に関連づける。
【００６９】
オペレータにより何れかのタブ１１１が押下されると、表示制御部１４は、対応するグループの医用画像を付帯情報から検索して表示する。各タブ１１１については、医用画像に付帯する日付の付帯情報を参照して、日付の古い順に並べて表示する。
【００７０】
タブ１１１が押下されると、そのタブ１１１に関連づけられた一グループの医用画像をタイル表示する。タイル表示は、マトリックス形状に医用画像を表示する形式である。まず、その検査に応じて作成された読影レポートの中に含まれている医用画像１１２を最先に表示し、その後、シリーズ順にその他の医用画像１１３を表示する。シリーズ内においても画像ＩＤ情報の若い順に並べて表示する。
【００７１】
各医用画像には、その属性を文字列表示する。例えば、読影レポート内に含まれた医用画像１１２であれば、「レポート内画像」と表示し、その他の医用画像１１３であれば、シリーズ情報及び画像ＩＤ情報を文字列表示する。属性の文字列は、レポート特定情報や付帯情報を参照する。
【００７２】
また、表示中のいずれかの医用画像が入力装置１２の操作により選択されると、その医用画像に関連する他の医用画像１１５を表示する。選択された医用画像の所定種類の付帯情報と同一の付帯情報を有する医用画像１１５を検索して表示する。参照する付帯情報は、タブ１１１に関連づけられるグループを形成した付帯情報とは別種類であり、例えば、撮影部位を示す付帯情報を参照して、同一撮影部位の医用画像１１５を検索し表示する。
【００７３】
また、レポート内の医用画像には、その画像の隅にレポート表示アイコン１１４をオーバーレイ表示する。このレポート表示アイコン１１４は、読影レポートの取得処理に関連づけられている。レポート表示アイコン１１４の押下によって、読影レポート特定情報を読み出し、読影レポートの送信要求をレポート保管装置３０に送信する。
【００７４】
各医用画像１１２，１１３の隅には、チェックボックス１１６が表示される。このチェックボックス１１６がチェックされると、レポート作成画面を表示する。レポート作成画面を表示させるのには、チェックボックス１１６のチェックの後に、別のアイコンの押下によって行うようにしても良い。また、複数のチェックボックス１１６にチェックし同時に複数を選択することができるようにしても良い。
【００７５】
図１２は、読影レポートを表示する画面を示す図である。スナップショット生成部１５は、読影レポートを取得すると、データをドキュメント形式から画像形式に変換する。図１２に示すように、画像形式に変換された読影レポート１１７は、医用画像が表示される領域内に他の医用画像１１２，１１３と並べられて画像として表示される。
【００７６】
図１３は、レポート作成画面を示す図である。図１３に示すように、モニタ１１の表示画面を、医用画像表示領域１１８とレポート作成領域１１９とに分割する。また、この分割画面を表示するためのタブ１２０を医用画像表示のためのタブ１１１と並び表示する。
【００７７】
レポート作成領域１１９には、レポート作成欄が表示され、入力装置１２の数字キーや文字キーの押下に対応して文字列表示が可能となっている。
【００７８】
医用画像表示領域１１８には、チェックボックス１１６でチェックされた医用画像１１２，１１３をスタック表示する。スタック表示は医用画像を重ねて表示する表示形式である。戻りボタンや進みボタンを表示させて、何れかのボタンの押下に対応して前後の医用画像をめくり表示する。また、入力装置１２がマウス等に付属するホイールトラッキングを有する場合には、このホイールトラッキングの操作に対応して医用画像をめくり表示する。
【００７９】
尚、スタック表示は、レポート作成画面においてのみならず、レポート作成を行わない状況での医用画像の表示においてするようにしてもよい。また、レポート作成画面において、医用画像１１２，１１３をタイル表示するようにしてもよい。
【００８０】
このように、本実施形態の画像表示システム１では、読影レポートに検索情報を付しておき、オペレータが収集しようとする医用画像の検索キーをもとに読影レポートを検索し、検索された読影レポート内のレポート内画像を取得して表示するようにした。
【００８１】
医用画像の検索において、検索キーから読影レポートを検索してそのレポート内にある医用画像を取得するルートを追加することで、読影レポート内の医用画像であることを特定しつつその医用画像を取得することができる。従って、読影医に対しても読影レポート内の医用画像であることを明示して提供することができる。
【００８２】
よって、膨大なデータの中から読影の比較対象として重要な医用画像であるレポート内の医用画像を簡便に取得でき、見落としや混乱を招くことも防止できる。
【００８３】
また、画像表示においても、検査毎等の特定のグループ別に医用画像を表示するようにしたり、それをタブ１１１により簡便に切り替えるようにしたため、必要な医用画像を簡単に選り分けて閲覧することが可能となる。また、グループ内においても重要な医用画像、即ちレポート内の医用画像を最先に表示し、他の医用画像をその後に表示するようにすることで重要な医用画像を見逃すことがない。
【００８４】
また、読影の際のレポート作成画面においても、医用画像の表示領域とレポート作成領域とを分割して表示するため、画面上の整理が簡便で重要な医用画像を簡単にピックアップできる。
【００８５】
さらに、読影レポート内の医用画像であることを特定して取得できるために、医用画像が読影レポートで参照されている場合に、その医用画像から読影レポートを取得することが可能となる。
【符号の説明】
【００８６】
１    画像表示システム
Ｎ    ネットワーク
１０  画像表示装置
１１  モニタ
１２  入力装置
１３  データ取得部
１４  表示制御部
１５  スナップショット生成部
１６  レポート作成部
２０  画像保管装置
２１  医用画像データベース
２２  画像検索部
３０  レポート保管装置
３１  レポート記憶部
３１１  レポート
３１２  画像リンク情報
３１３  検索情報
３２  レポート検索部
３３  レポート内画像検索部
３４  レポート特定情報生成部
１１０  入力フィールド
１１１  タブ
１１２，１１３，１１５  医用画像
１１４  レポート表示アイコン
１１６  チェックボックス
１１７  読影レポート
１１８  医用画像表示領域
１１９  レポート作成領域
１２０  タブ
【図１】
0005613756.tif 000002
【図２】
0005613756.tif 000003
【図３】
0005613756.tif 000004
【図４】
0005613756.tif 000005
【図５】
0005613756.tif 000006
【図６】
0005613756.tif 000007
【図７】
0005613756.tif 000008
【図８】
0005613756.tif 000009
【図９】
0005613756.tif 000010
【図１０】
0005613756.tif 000011
【図１１】
0005613756.tif 000012
【図１２】
0005613756.tif 000013
【図１３】
0005613756.tif 000014